【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
医療デバイスを作製する方法であって、
基材上に配置されたベースコート層を含む医療デバイスを得ることと、
前記ベースコート層の上にポリマー層を配置するために前記ベースコート層を前記ポリマー層でコーティングすることであって、前記ポリマー層は、外面であって、前記外面上に配置された反応性基を有する外面を含む、コーティングすることと、
溶液を前記外面に塗布することであって、前記溶液は、酸または塩基を含み、前記溶液中の前記酸または塩基は、前記反応性基と反応して塩の基を形成する、塗布することと
を含む、方法。
【請求項２】
前記溶液を前記外面からすすぐことをさらに含む、請求項１に記載の方法。
【請求項３】
前記反応性基は、カルボン酸およびアミンの群から選択される少なくとも１つを含む、請求項１〜２のいずれか一項に記載の方法。
【請求項４】
前記反応性基は、酸基を含む、請求項１〜３のいずれか一項に記載の方法。
【請求項５】
前記反応性基は、カルボン酸を含む、請求項１〜４のいずれか一項に記載の方法。
【請求項６】
前記塩の基は、カルボン酸塩を含む、請求項１〜５のいずれか一項に記載の方法。
【請求項７】
塩の基の密度は、前記ポリマー層の中央においてよりも前記ポリマー層の前記外面上でより高い、請求項１〜６のいずれか一項に記載の方法。
【請求項８】
前記塩の基は、ナトリウム、カリウム、リチウム、カルシウム、亜鉛およびアンモニウムからなる群から選択されるカチオンを含む、請求項１〜７のいずれか一項に記載の方法。
【請求項９】
前記ポリマー層は、ポリ（アクリル酸）を含む、請求項１〜８のいずれか一項に記載の方法。
【請求項１０】
前記ポリマー層は、ヒアルロン酸を含む、請求項１〜９のいずれか一項に記載の方法。
【請求項１１】
前記ポリマー層は、ポリエチレンイミン（ＰＥＩ）を含む、請求項１〜１０のいずれか一項に記載の方法。
【請求項１２】
前記ポリマー層は、ポリビニルアミン（ＰＶＡｍ）を含む、請求項１〜１１のいずれか一項に記載の方法。
【請求項１３】
前記ポリマー層の前記外面は、潤滑性特性を示す、請求項１〜１２のいずれか一項に記載の方法。
【請求項１４】
前記ポリマー層の前記外面は、同じ複数の塩の基を欠いている、他の点では同一のポリマー層より長い期間にわたって潤滑性特性を示す、請求項１〜１３のいずれか一項に記載の方法。
【請求項１５】
前記酸または塩基は、炭酸ナトリウム、炭酸水素ナトリウム、炭酸水素カリウム、水酸化カリウム、水酸化ナトリウム、水酸化リチウム、水酸化亜鉛、アンモニア、水酸化アンモニウム、塩基性側鎖を有するアミノ酸、および酸性側鎖を有するアミノ酸の群から選択される化合物を含む、請求項１〜１４のいずれか一項に記載の方法。
【請求項１６】
前記ベースコート層は、少なくとも１つの架橋剤で誘導体化されたポリマーを含む、請求項１に記載の方法。
【請求項１７】
前記少なくとも１つの架橋剤で誘導体化されたポリマーは、ビニルピロリドンポリマーおよび第１の架橋剤を含み、前記第１の架橋剤は、式Ｐｈｏｔｏ１−ＬＧ−Ｐｈｏｔｏ２（式中、Ｐｈｏｔｏ１およびＰｈｏｔｏ２は、独立に、少なくとも１つの光反応性基を表し、ＬＧは、少なくとも１つのケイ素または少なくとも１つのリン原子を含む連結基を表し、
前記少なくとも１つの光反応性基と前記連結基との間に共有結合的連結が存在する）
を有する、請求項１６に記載の方法。
【手続補正２】
【補正対象書類名】明細書
【補正対象項目名】０００６
【補正方法】変更
【補正の内容】
【０００６】
この要約は、本願の教示の幾つかの概要であり、本発明の対象の排他的または網羅的な治療であることを意図していない。さらなる詳細については、発明を実施するための形態および添付の特許請求の範囲に記載している。以下の発明を実施するための形態を読解し、その一部を構成する図面（これらはいずれも限定的な意味に解釈されるべきではない）を見ると、当業者には他の態様が明らかになるであろう。本明細書における範囲は、添付の特許請求の範囲およびその合法的な均等物により定められる。
本発明の実施形態において、例えば以下の項目が提供される。
（項目１）
コーティングされた医療デバイスであって、
基材と、
前記基材上に配置されたポリマー層であって、ポリマーを含み、外面を含む、ポリマー層と、
前記ポリマー層の前記ポリマーに結合され、かつ前記ポリマー層の前記外面上に配置された複数の塩の基と
を含み、前記塩の基は、酸または塩基との反応性基の反応生成物を含む、コーティングされた医療デバイス。
（項目２）
前記反応性基は、カルボン酸、スルホン酸、スルフィン酸、硫酸基、ホスホン酸、ホスホン酸基、リン酸基、アミン、弱酸基、または弱塩基基の群から選択される少なくとも１つを含む、項目１または３〜１４のいずれか一項に記載のコーティングされた医療デバイス。
（項目３）
前記反応性基は、酸基を含む、項目１もしくは２または４〜１４のいずれか一項に記載のコーティングされた医療デバイス。
（項目４）
前記反応性基は、カルボン酸を含む、項目１〜３または５〜１４のいずれか一項に記載のコーティングされた医療デバイス。
（項目５）
前記塩の基は、カルボン酸塩を含む、項目１〜４または６〜１４のいずれか一項に記載のコーティングされた医療デバイス。
（項目６）
前記塩の基は、ナトリウム、カリウム、リチウム、カルシウム、アルミニウム、亜鉛、マグネシウムおよびアンモニウムからなる群から選択されるカチオンを含む、項目１〜５または７〜１４のいずれか一項に記載のコーティングされた医療デバイス。
（項目７）
前記ポリマー層は、トップコート層であり、前記コーティングされた医療デバイスは、前記トップコート層と前記基材との間に配置されたベースポリマー層をさらに含む、項目１〜６または８〜１４のいずれか一項に記載のコーティングされた医療デバイス。
（項目８）
前記ポリマー層は、ポリ（アクリル酸）を含む、項目１〜７または９〜１４のいずれか一項に記載のコーティングされた医療デバイス。
（項目９）
前記ポリマー層は、ヒアルロン酸を含む、項目１〜８または１０〜１４のいずれか一項に記載のコーティングされた医療デバイス。
（項目１０）
前記ポリマー層は、ポリエチレンイミン（ＰＥＩ）を含む、項目１〜９または１１〜１４のいずれか一項に記載のコーティングされた医療デバイス。
（項目１１）
前記ポリマー層は、ポリビニルアミン（ＰＶＡｍ）を含む、項目１〜１０または１２〜１４のいずれか一項に記載のコーティングされた医療デバイス。
（項目１２）
前記ポリマー層の前記外面は、潤滑性特性を示す、項目１〜１１または１３もしくは１４のいずれか一項に記載のコーティングされた医療デバイス。
（項目１３）
前記ポリマー層の前記外面は、同じ複数の塩の基を欠いている、他の点では同一のポリマー層より長い期間にわたって潤滑性特性を示す、項目１〜１２または１４のいずれか一項に記載のコーティングされた医療デバイス。
（項目１４）
前記酸または塩基は、炭酸ナトリウム、炭酸水素ナトリウム、炭酸水素カリウム、水酸化カリウム、水酸化ナトリウム、水酸化リチウム、水酸化亜鉛、アンモニア、塩基性側鎖を有するアミノ酸、および酸性側鎖を有するアミノ酸の群から選択される化合物を含む、項目１〜１３のいずれか一項に記載のコーティングされた医療デバイス。
（項目１５）
医療デバイスを作製する方法であって、
基材上に配置されたポリマー層を含む医療デバイスを得ることであって、前記ポリマー層は、外面であって、前記外面上に配置された反応性基を有する外面を含む、得ることと、溶液を前記外面に塗布することであって、前記溶液は、酸または塩基を含み、前記溶液中の前記酸または塩基は、前記反応性基と反応して塩の基を形成する、塗布することと
を含む、方法。
（項目１６）
前記溶液を前記外面からすすぐことをさらに含む、項目１５または１７〜３３のいずれか一項に記載の方法。
（項目１７）
前記反応性基は、カルボン酸およびアミンの群から選択される少なくとも１つを含む、項目１５もしくは１６または１８〜３３のいずれか一項に記載の方法。
（項目１８）
前記反応性基は、酸基を含む、項目１５〜１７または１９〜３３のいずれか一項に記載の方法。
（項目１９）
前記反応性基は、カルボン酸を含む、項目１５〜１８または２０〜３３のいずれか一項に記載の方法。
（項目２０）
前記塩の基は、カルボン酸塩を含む、項目１５〜１９または２１〜３３のいずれか一項に記載の方法。
（項目２１）
塩の基の密度は、前記ポリマー層の中央においてよりも前記ポリマー層の前記外面上でより高い、項目１５〜２０または２２〜３３のいずれか一項に記載の方法。
（項目２２）
前記塩の基は、ナトリウム、カリウム、リチウム、カルシウム、亜鉛およびアンモニウムからなる群から選択されるカチオンを含む、項目１５〜２１または２３〜３３のいずれか一項に記載の方法。
（項目２３）
医療デバイスを得ることは、前記ポリマー層を前記基材上に塗布することによって前記医療デバイスを形成することを含み、前記ポリマー層は、トップコートを含む、項目１５〜２２または２４〜３３のいずれか一項に記載の方法。
（項目２４）
ベースポリマー層を前記基材上に塗布することをさらに含み、前記ベースポリマー層は、前記トップコートと前記基材との間に配置されている、項目１５〜２３または２５〜３３のいずれか一項に記載の方法。
（項目２５）
前記ポリマー層は、ポリ（アクリル酸）を含む、項目１５〜２４または２６〜３３のいずれか一項に記載の方法。
（項目２６）
前記ポリマー層は、ヒアルロン酸を含む、項目１５〜２５または２７〜３３のいずれか一項に記載の方法。
（項目２７）
前記ポリマー層は、ポリエチレンイミン（ＰＥＩ）を含む、項目１５〜２６または２８〜３３のいずれか一項に記載の方法。
（項目２８）
前記ポリマー層は、ポリビニルアミン（ＰＶＡｍ）を含む、項目１５〜２７または２９〜３３のいずれか一項に記載の方法。
（項目２９）
前記ポリマー層の前記外面は、潤滑性特性を示す、項目１５〜２８または３０〜３３のいずれか一項に記載の方法。
（項目３０）
前記ポリマー層の前記外面は、同じ複数の塩の基を欠いている、他の点では同一のポリマー層より長い期間にわたって潤滑性特性を示す、項目１５〜２９または３１〜３３のいずれか一項に記載の方法。
（項目３１）
前記酸または塩基は、炭酸ナトリウム、炭酸水素ナトリウム、炭酸水素カリウム、水酸化カリウム、水酸化ナトリウム、水酸化リチウム、水酸化亜鉛、アンモニア、水酸化アンモニウム、塩基性側鎖を有するアミノ酸、および酸性側鎖を有するアミノ酸の群から選択される化合物を含む、項目１５〜３０または３２もしくは３３のいずれか一項に記載の方法。
（項目３２）
前記溶液は、水性溶媒を含む、項目１５〜３１または３３のいずれか一項に記載の方法。
（項目３３）
前記溶液は、イソプロピルアルコールを含む、項目１５〜３２のいずれか一項に記載の方法。